(57)【要約】【課題】本開示は、サイフォン現象の動作不良を抑制し、所定の洗浄性能や柔軟剤効果を発揮する洗濯機を提供する。【解決手段】本開示における洗濯機は、液剤投入部６６ａ、液剤投入部６６ｂの液体洗剤または柔軟剤が沿いながら流れるサイフォン機構を形成する金型において、上方向に液体洗剤または柔軟剤が流れるサイフォン壁面８８ａ、サイフォン壁面８８ｂの上部角Ｒ部にキャビティ金型の金型分割部８６ａ、金型分割部８６ｂを設ける構成とする。これにより、バリ８５の上側は自重で下りてきた液体洗剤または柔軟剤で濡れるため、バリ８５の周辺すべてが液体洗剤または柔軟剤で満たされることとなり、サイフォン現象が正常に行われることとなり、ケース５７内の液体洗剤または柔軟剤が液剤投入部６６ａ、液剤投入部６６ｂより吐出されなかったり、ケース５７内に液体洗剤または柔軟剤が残ったりすることを抑止できる。【選択図】図２
2020120789.tif 000002
【特許請求の範囲】
【請求項１】
外枠と、前記外枠内に垂下防振支持された外槽と、前記外槽に回転自在に内包された洗濯槽と、前記外枠上部に配設された上部枠体と、前記上部枠体後部の前記洗濯槽を臨む位置に収設された液体洗剤または柔軟剤を収容するケース、および、前記ケースを引き出し可能に収納した注水装置と、前記ケース内底部の下面に連通して形成された略筒状の液剤投入部と、前記液剤投入部の上方部と周囲とを間隙を設けて覆うキャップと、前記ケース、前記注水装置、および、前記キャップで構成され、サイフォン現象により液体洗剤または柔軟剤を、前記液剤投入部の下流に設けた流出口を介して前記洗濯槽に投入する洗剤投入装置とを備え、前記洗剤投入装置は、前記液剤投入部の液体洗剤または柔軟剤が沿いながら流れるサイフォン壁面を形成する金型において、上方向に液体洗剤または柔軟剤が流れるサイフォン壁面の上部角Ｒ部にキャビティ金型の金型分割部を設けた洗濯機。
【請求項２】
洗剤投入装置は、サイフォン壁面の金型分割部で生じるバリの高さを０．２ｍｍ以下とした請求項１に記載の洗濯機。
【請求項３】
洗剤投入装置は、サイフォン壁面を、アルキルベンゼンスルホン酸塩を含む洗浄剤で洗浄した請求項１または２に記載の洗濯機。
【請求項４】
洗剤投入装置は、液剤投入部を形成する金型において、サイフォン入口部近傍とサイフォン通路ガイド壁のリブ略中央部を結ぶ線上にキャビティ金型の金型分割部を設けた請求項２または３に記載の洗濯機。
【発明の詳細な説明】
【技術分野】
【０００１】
本発明は、液体洗剤や液体仕上剤を用いて衣類を洗濯する洗濯機に関する。
【背景技術】
【０００２】
従来、この種の洗濯機においては、運転行程の中で自動的に液体洗剤、液体仕上剤（柔軟剤）を投入する投入装置の構成が提案されている（例えば、特許文献１参照）。
【０００３】
図６は、特許文献１に記載された従来の洗濯機の縦断面図、図７は、同洗濯機の洗剤投入装置の断面図、図８は、同洗濯機の洗剤収容容器部分の要部の断面図、図９は、同洗濯機の洗剤収容容器部分の要部の金型構成を示す図である。
【０００４】
図６、図７、図８において、筐体２の上部には、給水弁７に接続され粉末合成洗剤、液体洗剤および液体仕上剤を収容する洗剤投入装置１０を配設している。洗剤投入装置１０は、水槽３と蛇腹ゴム体で形成された給水ホース１１により接続されている。
【０００５】
洗剤投入装置１０は、上方に開口を有する有底の断面略コの字状箱体の洗剤投入部枠体４０と、洗剤を収容する洗剤収容容器２０と、給水弁７に接続され洗剤収容容器２０に給水する給水路３１が設けられた給水部材３０とで構成されている。
【０００６】
給水部材３０の下方に、洗剤投入部枠体４０を配設して、この給水部材３０との間に形成された空間部４０ａに上方から取出し可能な状態で前記洗剤収容容器２０を収容している。また、洗剤投入部枠体４０の後方底部には、給水ホース１１を水槽３に接続配管されている。
【０００７】
また、洗剤投入部枠体４０と給水部材３０とで囲まれた空間部４０ａには上方から取出し可能な状態で洗剤収容容器２０が収納されている。給水部材３０は、洗剤収容容器２０に給水する水の通水路となる給水路３１と、その底面に多数の小孔を形成した注水口３３とを備えている。
【０００８】
注水口３３から供給された水が洗剤収容容器２０に収容された洗剤（粉末合成洗剤、液体洗剤、液体仕上剤など）と混合され、各種の洗剤混合液を生ずる。また、洗剤投入部枠体４０は、その底部に一体形成された洗剤液供給路４１を有する。各種の洗剤混合液は、洗剤液供給路４１および洗剤液供給路４１に接続された給水ホース１１を経由して、水槽３内に供給される。
【０００９】
洗剤収容容器２０は、洗剤投入部枠体４０に、上方より取出し可能な状態で収容され、粉末合成洗剤を収容する粉末洗剤収容部２２と、液体洗剤や液体漂白剤を収容する液体洗剤収容部２３と、液体仕上剤を収容する液体仕上剤収容部（液体収容部）２４が設けられている。
【００１０】
粉末洗剤収容部２２の下流側には粉末洗剤投入路２２ａが形成される。液体洗剤収容部２３の下流側外底部には液体洗剤投入路２３ａが形成される。液体仕上剤収容部２４の外底部下流側には液体仕上剤投入路（液体投入路）２４ａが形成される。粉末洗剤収容部２２や液体洗剤収容部２３や液体仕上剤収容部２４に収容された洗剤は、いずれも給水弁７から給水された水に希釈されて、洗剤液が空間部４０ａより洗剤液供給路４１に流れるように構成されている。
【００１１】
そして、液体仕上剤収容部２４の上部には、液体仕上剤収容部２４を部分的もしくは全体的に覆う収容部蓋板２５が着脱自在に設けられている。そして、液体仕上剤収容部２４の底部には、略円筒状の第２の導通路２６が上方にむけて立設されている。第２の導通路２６の下端部２６ａは底部外方に開口しており、上端部２６ｂは上方に向けて開口している。第２の導通路２６の上端部２６ｂには、逆Ｕ字状に形成された導通路結合部２７の一端２７ａが接続されている。
【００１２】
液体仕上剤収容部２４の内部には、第２の導通路２６と略並行で略円筒状に形成された第１の導通路２８が設けられている。第１の導通路２８の下端部２８ａは、液体仕上剤収容部２４の底部近傍に開口している。そして、この第１の導通路２８の上端部２８ｂは、他端２７ｂ前記第１の導通路の上端部に接続され逆Ｕ字状に形成された導通路結合部２７の他端２７ｂと接続している。
【００１３】
このように、液体仕上剤投入路２４ａは、第１の導通路２８、導通路結合部２７、第２の導通路２６により、略Ｕ字状に略円筒状に、液体仕上剤収容部２４の底部近傍から、一端上昇した後、下方に下がり、底部外方まで、一本の経路でつながっている形成されている。
【００１４】
以上の構成にて、液体仕上剤の投入については、液体仕上剤収容部２４には、適量の液体仕上剤が洗濯開始前に投入されており、最終すすぎ工程において、第２の給水路３１ｂから液体仕上剤収容部２４に給水される。給水された水は、液体仕上剤と一部または全部が混合され、希釈水となる。給水により、液体仕上剤収容部２４内の希釈水の水位は上がり、第１の導通路２８内に希釈水が吸い上げられる。さらに給水が進むことにより、希釈水が導通路結合部２７をこえることで第２の導通路２６へ希釈水が流れ始め、その下端部２６ａから、液体仕上剤収容部２４の下方に流れ落ち、サイフォン動作が開始する。
サイフォン動作が開始されると、給水が終了しても、液体仕上剤収容部２４内の希釈水が流出され続ける。液体仕上剤収容部２４内に吸い上げられる希釈水がなくなると、第２の導通路２６および導通路結合部２７に空気が入り、サイフォン動作が終了する。
【先行技術文献】
【特許文献】
【００１５】
【特許文献１】特開２０１７−７４２８４号公報
【発明の概要】
【発明が解決しようとする課題】
【００１６】
しかしながら、一般的に、第１の導通路２８の頂点部分における金型構成として、成形時のガス抜きのために頂点部に金型の分割部４３を設けられるため、頂点部に上方に凸のバリや段差が発生する。バリや段差が発生すると、バリや段差の周辺で液体が第１の導通路２８（サイフォン通路）の壁面から離れやすくなり、このためサイフォン現象がうまく行われず、液体がスムーズに流れないという課題があった。
【００１７】
本開示は、サイフォン現象の動作不良を抑制し、所定の洗浄性能や柔軟剤効果を発揮する洗濯機を提供する。
【課題を解決するための手段】
【００１８】
前記従来の課題を解決するために、本発明の洗濯機は、外枠と、前記外枠内に垂下防振支持された外槽と、前記外槽に回転自在に内包された洗濯槽と、前記外枠上部に配設された上部枠体と、前記上部枠体後部の前記洗濯槽を臨む位置に収設された液体洗剤または柔軟剤を収容するケース、および、前記ケースを引き出し可能に収納した注水装置と、前記ケース内底部の下面に連通して形成された略筒状の液剤投入部と、前記液剤投入部の上方
部と周囲とを間隙を設けて覆うキャップと、前記ケース、前記注水装置、および、前記キャップで構成され、サイフォン現象により液体洗剤または柔軟剤を、前記液剤投入部の下流に設けた流出口を介して前記洗濯槽に投入する洗剤投入装置とを備え、前記洗剤投入装置は、前記液剤投入部の液体洗剤または柔軟剤が沿いながら流れるサイフォン壁面を形成する金型において、上方向に液体洗剤または柔軟剤が流れるサイフォン壁面の上部角Ｒ部にキャビティ金型の金型分割部を設ける。
【発明の効果】
【００１９】
本発明の洗濯機は、サイフォン現象の動作不良を抑制し、所定の洗浄性能や柔軟剤効果を発揮する。
【図面の簡単な説明】
【００２０】
【図１】本発明の第１の実施の形態における洗濯機の縦断面図
【図２】同洗濯機の洗剤投入装置の分解斜視図
【図３】同洗濯機の洗剤投入装置の正面から見た縦断面図
【図４】同洗濯機の洗剤投入装置の要部断面図および斜視図
【図５】本発明の第２の実施の形態における洗濯機の洗剤投入装置の要部斜視図および矢視Ｂ図
【図６】従来の洗濯機の縦断面図
【図７】同洗濯機洗剤投入装置の断面図
【図８】同洗濯機の洗剤収容容器部分の要部の断面図
【図９】同洗濯機の洗剤収容容器部分の要部の金型構成を示す図
【発明を実施するための形態】
【００２１】
以下、発明の実施の形態について、図面を参照しながら説明する。なお、この実施の形態によって本発明が限定されるものではない。
【００２２】
（実施の形態１）
図１は、本発明の実施の形態における洗濯機の縦断面図、図２は、同洗濯機の洗剤投入装置の分解斜視図、図３は、同洗濯機の洗剤投入装置の正面から見た縦断面図、図４は、同洗濯機の洗剤投入装置の要部断面図および斜視図である。
【００２３】
図１〜図４において、外枠５１は、上部に上部枠体５２を配設し、洗濯槽５３を回転自在に内包して上部をカバー５４で覆った外槽５５を、外枠５１内部の上部角隅より垂下防振支持している。
【００２４】
洗濯槽５３は複数の小孔（図示せず）を有している。上部枠体５２の中央には大きく開口した投入口５２ａを形設し、投入口５２ａを開閉自在に覆うように蓋５６を設けている。
【００２５】
洗濯槽５３の内底部には、衣類攪拌用のパルセータ８２が回転自在に配設されており、外槽５５外底部に設けたモータ（図示せず）は、パルセータ８２、洗濯槽５３を回転駆動する。
【００２６】
また、上部枠体５２の後部には、洗濯槽５３を臨む位置に、注水装置６２と、注水装置６２内に引き出し可能に収納されるケース５７で大きく構成される液剤投入装置５０が収設されている。
【００２７】
ケース５７は、液体洗剤を投入する液体洗剤箱５９と、液体柔軟仕上剤を投入する柔軟剤箱６０とを有し、液体洗剤箱５９と柔軟剤箱６０との間に空間部６１を設けている。
【００２８】
注水装置６２は、給水経路６５を経由して供給された水道水を、注水口（図示せず）からケース５７内に落下させて、吐出口６３より洗濯槽５３内に注水する。給水経路６５は、２個以上の水路が開閉可能な複数弁構成の給水弁（図示せず）に連結されており、ケース５７内の液体洗剤箱５９、柔軟剤箱６０に各々別に注水できるようになっており、後述するように、サイフォン現象により液体洗剤や柔軟仕上剤を洗濯槽５３内に投入する構成である。
【００２９】
ケース５７は、液体洗剤箱５９のケース内底部の下面に連通した略筒状の液剤投入部６６ａと柔軟剤箱６０のケース内底部の下面に連通した略筒状の液剤投入部６６ｂが設けられている。
【００３０】
液剤投入部６６ａ、液剤投入部６６ｂは、三方向を囲ったサイフォン通路ガイド壁７１ａ、サイフォン通路ガイド壁７１ｂと空間部６９ａ、空間部６９ａ６９ｂでそれぞれ形成され、それぞれの上方部および周囲をキャップ６７ａ、６７ｂが覆っている。そして、キャップ６７ａ、キャップ６７ｂのガイド壁篏嵌合部７２ａ、ガイド壁篏嵌合部７２ｂは、それぞれサイフォン通路ガイド壁７１ａ、サイフォン通路ガイド壁７１ｂと嵌合しており、サイフォン通路ガイド壁７１ａ、サイフォン通路ガイド壁７１ｂの無い側と上方部を所定の間隙を介して覆っている。この所定の間隙と空間部６９ａ、６９ｂで、液剤投入部６６ａ、液剤投入部６６ｂのサイフォン入口部７０ａ、サイフォン入口部７０ｂからのそれぞれのサイフォン通路を形作っている。
【００３１】
液剤投入部６６ａ、液剤投入部６６ｂの頂点付近の、サイフォン通路内の液体上流側の角Ｒ部分には、成形時のガス抜きのためのそれぞれの金型分割部８６ａ、金型分割部８６ｂによって生じた成形上避けられないバリ８５がある。
【００３２】
液剤投入部６６ａ、液剤投入部６６ｂのそれぞれの金型分割部８６ａ、金型分割部８６ｂは、サイフォン壁面８８ａ、サイフォン壁面８８ｂの頂点部分にガスによる焼け現象が発生しないように、ガス抜きのためにキャビティ金型を分割して摺り合わせた分割面であり、成形を続けると、どうしてもバリ８５が発生することは、避けられない。
【００３３】
バリ８５は、金型の精度アップやメンテナンスで、高さ０．２ｍｍ以下となっており、また、バリ８５の表面および周辺はアルキルベンゼンスルホン酸ナトリウムを主成分とする中性洗剤で洗浄されることにより、バリ８５表面および周辺に付着した、成形時の樹脂から発生するガスが高温高圧となること等で生成される撥水性物質（図示せず）が除去されている。
【００３４】
上記構成において、液体洗剤と柔軟剤を使用する場合、ケース５７を引き出して、液体洗剤を液体洗剤箱５９に投入し、柔軟剤を柔軟剤箱６０に投入し、注水装置６２に収納する。
【００３５】
この状態で、水道水を給水経路６５より給水すると、給水された水は液体洗剤箱５９  に注水され、液体洗剤箱５９内の液体洗剤を薄めながら洗浄液となり内部を満たしてゆく。
【００３６】
液体洗剤箱５９内の水位が上昇すると、液剤投入部６６ａとキャップ６７ａ間の隙間に洗浄液が浸入し、さらに水位が上昇することで洗浄液が液剤投入部６６ａの上端に達し、洗浄液が液剤投入部６６ａのパイプ内部へと流れ込み、液体洗剤箱内底部（図示せず）より液体洗剤箱５９の外部へと流出する。このとき、洗浄液は液剤投入部６６ａの上端付近の空間に残っている空気を液体洗剤箱内底部（図示せず）へと押し流す。
【００３７】
液剤投入部６６ａとキャップ６７ａ間の隙間・液剤投入部６６ａの上端付近・液剤投入部６６ａのパイプ内部の空気がすべて押し流され、洗浄液で満たされるとサイフォンの原理により流出口８７ａから洗浄液が、図４の実線矢印で示す液体流れＡの方向に勢いを増して流出し、サイフォン動作が開始される。
【００３８】
給水経路６５からの給水が停止した後でもサイフォン動作は継続され、液体洗剤箱５９内部の洗浄液が排出されることで液体洗剤が吐出口６３を通って洗濯槽５３に液体洗剤とともに注水され、液体洗剤箱５９の水位がサイフォンの入口を下回った時点で空気がサイフォン通路内に進入し、サイフォン動作は終了する。
【００３９】
柔軟剤も液体洗剤と同様の作用で、流出口８７ｂから吐出口６３を通って、洗濯槽５３に供給される。
【００４０】
しかし、サイフォン通路上にバリや段差、あるいは撥水性物質が付着している場合は、この部分を基点として液体がサイフォン壁面８８ａ、サイフォン壁面８８ｂより離れてしまう場合がある。
【００４１】
十分な給水量があり、サイフォン通路内に液体が多量に流れる状況であれば、サイフォン壁面８８ａ、サイフォン壁面８８ｂより離れてしまった液体がその下流で再度壁面と接触し、サイフォン通路出口付近では液体が通路を満たしている状態となるため、サイフォンが始動する。
【００４２】
しかし、給水量が少ない場合や、バリや段差が大きく、撥水性物質が付着していることにより撥水が大きい場合には、液体がサイフォン壁面８８ａ、サイフォン壁面８８ｂから離れた状態がサイフォン出口まで連なってしまう。このことにより、サイフォン出口の流出口８７ａ、流出口８７ｂからサイフォン通路の中へと空気が進入してしまい、正しくサイフォン現象が起こらず、液体がケース内に残ることとなる。
【００４３】
流れる液体の液面がサイフォン壁面から離れてしまい、サイフォンが正常に始動していない場合は、サイフォン頂点から下方向、すなわち、サイフォン出口の流出口８７ａ、流出口８７ｂに向かう通路内での液体の流れは自由落下となり、サイフォン出口に近づくにつれて流速が上がり、流れ方向に直角な断面積が減る。つまり、下流にいくにつれて流れが細くなり、サイフォン壁面８８ａ、サイフォン壁面８８ｂからはさらに離れる状態となるため、サイフォン頂点付近で一度サイフォン壁面から離れた液体は、再度サイフォン壁面に接触し難くなる。
【００４４】
そのため、小さなバリや段差、わずかな撥水性物質のようなきっかけであっても、サイフォンが正常動作しない原因となってしまう。
【００４５】
本質的にはサイフォン通路内にバリや段差を生じさせるような金型構成は避けるべきであるが、金型のメンテナンス性や部品のガス焼け等の対応のため、サイフォン通路上にバリや段差を設けざるを得ないことが多々ある。
【００４６】
そのために、上述のように、金型の精度アップや、メンテナンスにより、バリ８５の高さ設定やその管理が重要となってくる。
【００４７】
なお、上記では、液体洗剤を投入する液体洗剤箱５９側について主に説明したが、柔軟剤を投入する柔軟剤箱６０についても、同様に構成することにより、常に柔軟洗剤やその溶液が残ることなく、適正な時期に、適正な量を投入することができる。
【００４８】
以上のように、本実施の形態においては、液剤投入部６６ａ、液剤投入部６６ｂの液体洗剤または柔軟剤が沿いながら流れるサイフォン壁面８８ａ、サイフォン壁面８８ｂを形成する金型において、上方向に液体洗剤または柔軟剤が流れるサイフォン壁面８８ａ、サイフォン壁面８８ｂの上部角Ｒ部にキャビティ金型の金型分割部８６ａ、金型分割部８６ｂを設ける構成とする。これにより、バリ８５の上側は自重で下りてきた液体洗剤または柔軟剤で濡れるため、バリ８５の周辺すべてが液体洗剤または柔軟剤で満たされることとなり、サイフォン現象が正常に行われることとなり、ケース５７内の液体洗剤または柔軟剤が液剤投入部６６ａ、液剤投入部６６ｂより吐出されなかったり、ケース５７内に液体洗剤または柔軟剤が残ったりすることが防止でき、所定の洗浄性能や柔軟剤効果を発揮させることができる。
【００４９】
サイフォン壁面８８ａ、サイフォン壁面８８ｂの金型分割部で生じるバリの高さを０．２ｍｍ以下とする構成とすることにより、サイフォン現象が正常に行われ、ケース５７内の液体洗剤または柔軟剤が液剤投入部６６ａ、液剤投入部６６ｂより吐出されなかったり、ケース内に液体洗剤または柔軟剤が残ったりすることが防止でき、所定の洗浄性能や柔軟剤効果を発揮させることができる。
【００５０】
また、サイフォン壁面８８ａ、サイフォン壁面８８ｂを、アルキルベンゼンスルホン酸塩を含む洗浄剤で洗浄する構成とすることにより、サイフォン現象が正常に行われ、ケース５７内の液体洗剤または柔軟剤が液剤投入部より吐出されなかったり、ケース内に液体洗剤または柔軟剤が残ったりすることが防止でき、所定の洗浄性能や柔軟剤効果を発揮させることができる。
【００５１】
（実施の形態２）
図５は、本発明の第２の実施の形態における洗濯機の洗剤投入装置の要部斜視図および矢視Ｂ図である。なお、液剤投入部のキャビティ金型の金型分割構成以外は、第１の実施の形態と同じであり、同じ部位には同一符号を付して、説明を省略する。
【００５２】
図５において、液剤投入部６６ａ、液剤投入部６６ｂを形成するそれぞれのキャビティ金型の金型分割部９６ａ、金型分割部９６ｂは、サイフォン入口部７０ａ、サイフォン入口部７０ｂ近傍と、サイフォン通路ガイド壁７１ａ、サイフォン通路ガイド壁７１ｂのリブ略中央部に設けられている。
【００５３】
これにより、サイフォン壁面８８ａ、サイフォン壁面８８ｂは円滑面となり、サイフォン現象の動作に影響を与えない。また、サイフォン通路ガイド壁７１ａ、サイフォン通路ガイド壁７１ｂのリブにバリが発生しても、サイフォン現象には影響しない。
【００５４】
以上のように、本実施の形態においては、液剤投入部６６ａ、液剤投入部６６ｂを形成する金型において、サイフォン入口部７０ａ、サイフォン入口部７０ｂ近傍とサイフォン通路ガイド壁７１ａ、サイフォン通路ガイド壁７１ｂのリブ略中央部を結ぶ線上にキャビティ金型の金型分割部９６ａ、金型分割部９６ｂを設ける構成とすることにより、サイフォン現象が正常に行われ、ケース５７内の液体洗剤または柔軟剤が液剤投入部６６ａ、液剤投入部６６ｂより吐出されなかったり、ケース５７内に液体洗剤または柔軟剤が残ったりすることが防止でき、所定の洗浄性能や柔軟剤効果を発揮させることができる。
【産業上の利用可能性】
【００５５】
本開示は、サイフォン機構を備えた洗濯機に適用可能である。具体的には、縦型洗濯機、ドラム式洗濯機、二槽式洗濯機などに、本開示は適用可能である。
【符号の説明】
【００５６】
５０  液剤投入装置
５１  外枠
５２  上部枠体
５３  洗濯槽
５５  外槽
５７  ケース
６２  注水装置
６６ａ、６６ｂ  液剤投入部
６７ａ、６７ｂ  キャップ
７０ａ、７０ｂ  サイフォン入口部
７１ａ、７１ｂ  サイフォン通路ガイド壁
８５  バリ
８６ａ、８６ｂ  金型分割部
８７ａ、８７ｂ  流出口
８８ａ、８８ｂ  サイフォン壁面
９６ａ、９６ｂ  金型分割部
【図１】
2020120789.tif 000003
【図２】
2020120789.tif 000004
【図３】
2020120789.tif 000005
【図４】
2020120789.tif 000006
【図５】
2020120789.tif 000007
【図６】
2020120789.tif 000008
【図７】
2020120789.tif 000009
【図８】
2020120789.tif 000010
【図９】
2020120789.tif 000011